(57)【要約】      （修正有）【課題】予定、乗り心地、及び効率に対して飛行計画を最適化するための、航空機システム、コンピュータによって実行される方法、及びコンピュータプログラム製品を提供する。【解決手段】第１の三角形４０２は、滑らかな乗り心地、予定通りの到着、高燃焼（過剰な燃料使用）となる第１の飛行計画を表す。第２の三角形４０４は、予定通りの到着、計画による燃料使用、軽度の乱気流中飛行となる第２の飛行計画を表す。航空機が乱気流に遭遇した場合、三角形４０２及び４０４が提示される。第１の三角形４０２即ち第１の飛行計画は、乱気流を迂回し、予定通りの到着を維持するために対気速度を増加しうる。第２の三角形４０４即ち第２の飛行計画は、初期の飛行計画にしたがって乱気流の中を飛行しうる。特性の値の重みづけに基づく、第１の三角形４０２と第２の三角形４０４の大小により、パイロットは容易にサイズの差を認識し、より良いオプションを決定できる。【選択図】図４
2018083609.tif 000002
【特許請求の範囲】
【請求項１】
航空機システムであって、
コンピュータディスプレイスクリーンと、
コンピュータプロセッサと、
前記コンピュータプロセッサと通信し、ユーザの妥協優先傾向を記憶するように動作可能なコンピュータメモリであって、前記ユーザの妥協優先傾向が、
飛行計画の予定通りの運航特性と乗り心地特性との間の第１の妥協優先傾向と、
前記飛行計画の前記乗り心地特性と運航効率特性との間の第２の妥協優先傾向と、
前記飛行計画の前記運航効率特性と前記予定通りの運航特性との間の第３の妥協優先傾向と
を含む、コンピュータメモリと、
アプリケーションであって、前記コンピュータプロセッサ上で実行されたときに、
前記コンピュータディスプレイスクリーン上に表示するために、
第１の軸に沿った前記予定通りの運航特性の値が前記妥協優先傾向に基づいて重みづけされる、予定通りの運航に対する第１の軸と、
第２の軸に沿った前記乗り心地特性の値が前記妥協優先傾向に基づいて重みづけされる、乗り心地に対する第２の軸と、
第３の軸に沿った前記運航効率特性の値が前記妥協優先傾向に基づいて重みづけされる、運航効率に対する第３の軸と
を含む多軸グラフの画像を出力し、
第１の予定通りの運航特性の値と、第１の乗り心地特性の値と、第１の運航効率特性の値とを含む初期の飛行計画を受信し、
前記多軸グラフ上に第１の三角形を重ねるアプリケーションと
を備え、前記第１の三角形の第１の頂点が前記第１の予定通りの運航特性の値に対応する位置で前記多軸グラフの前記第１の軸と交差し、前記第１の三角形の第２の頂点が前記第１の乗り心地特性の値に対応する位置で前記多軸グラフの前記第２の軸と交差し、前記第１の三角形の第３の頂点が前記第１の運航効率特性の値に対応する位置で前記多軸グラフの前記第３の軸と交差するように、前記多軸グラフの軸に合わせて前記第１の三角形の頂点が位置調整される、航空機システム。
【請求項２】
前記コンピュータプロセッサによって実行されたときに、前記アプリケーションは更に、
第２の予定通りの運航特性の値、第２の乗り心地特性の値、及び第２の運航効率特性の値を含む第１のアップデートされた飛行計画を受信し、
前記多軸グラフに第２の三角形を重ね、前記第２の三角形の第４の頂点が前記第２の予定通りの運航特性の値に対応する位置で前記多軸グラフの前記第１の軸と交差し、前記第２の三角形の第５の頂点が前記第２の乗り心地特性の値に対応する位置で前記多軸グラフの前記第２の軸と交差し、前記第２の三角形の第６の頂点が前記第２の運航効率特性の値に対応する位置で前記多軸グラフの前記第３の軸と交差するように、前記多軸グラフの軸に合わせて前記第２の三角形の頂点が位置調整される、請求項１に記載の航空機システム。
【請求項３】
前記第１の三角形が前記第２の三角形に置き換えられる、請求項２に記載の航空機システム。
【請求項４】
前記第２の三角形が前記第１の三角形の上部に重ねられる、請求項２又は３に記載の航空機システム。
【請求項５】
前記第２の三角形は、前記第１の三角形が前記第２の三角形によって遮られないように、部分的に透明な状態で表示される、請求項４に記載の航空機システム。
【請求項６】
前記アプリケーションは、前記コンピュータプロセッサによって実行されたときに、更に、
第３の予定通りの運航特性の値、第３の乗り心地特性の値、及び第３の運航効率特性の値を含む第２のアップデートされた飛行計画を受信し、
前記多軸グラフ上に第３の三角形を重ね、前記第３の三角形の第７の頂点が前記第３の予定通りの運航特性の値に対応する位置で前記多軸グラフの前記第１の軸と交差し、前記第３の三角形の第８の頂点が前記第３の乗り心地特性の値に対応する位置で前記多軸グラフの前記第２の軸と交差し、前記第３の三角形の第９の頂点が前記第３の運航効率特性の値に対応する位置で前記多軸グラフの前記第３の軸と交差するように、前記多軸グラフの軸に合わせて前記第３の三角形の頂点が位置調整される、
請求項２から５のいずれか一項に記載の航空機システム。
【請求項７】
前記第３の三角形が前記第１の三角形及び前記第２の三角形の上部に重ねられる、請求項６に記載の航空機システム。
【請求項８】
コンピュータによって実行される方法であって、
飛行計画の予定通りの運航特性と乗り心地特性との間の第１の妥協優先傾向と、
前記飛行計画の前記乗り心地特性と運航効率特性との間の第２の妥協優先傾向と、
前記飛行計画の前記運航効率特性と前記予定通りの運航特性との間の第３の妥協優先傾向とを含む、ユーザの妥協優先傾向を受信することと、
多軸グラフの画像をコンピュータディスプレイスクリーンに表示するために出力することであって、前記多軸グラフが、
予定通りの運航に対する第１の軸であって、前記第１の軸に沿った前記予定通りの運航特性の値が前記妥協優先傾向に基づいて重みづけされる、第１の軸と、
乗り心地に対する第２の軸であって、前記第２の軸に沿った前記乗り心地特性の値が前記妥協優先傾向に基づいて重みづけされる、第２の軸と、
運航効率に対する第３の軸であって、前記第３の軸に沿った前記運航効率特性の値が前記妥協優先傾向に基づいて重みづけされる、第３の軸と
を含む、出力することと、
第１の予定通りの運航特性の値と、第１の乗り心地特性の値と、第１の運航効率特性の値とを含む初期の飛行計画を受信することと、
前記多軸グラフ上に第１の三角形を重ねることであって、前記第１の三角形の第１の頂点が前記第１の予定通りの運航特性の値に対応する位置で前記多軸グラフの前記第１の軸と交差し、前記第１の三角形の第２の頂点が前記第１の乗り心地特性の値に対応する位置で前記多軸グラフの前記第２の軸と交差し、前記第１の三角形の第３の頂点が前記第１の運航効率特性の値に対応する位置で前記多軸グラフの前記第３の軸と交差するように、前記多軸グラフの軸に合わせて前記第１の三角形の頂点が位置調整される、重ねることと
を含む方法。
【請求項９】
第２の予定通りの運航特性の値と、第２の乗り心地特性の値と、第２の運航効率特性の値とを含む第１のアップデートされた飛行計画を受信することと、
前記多軸グラフ上に第２の三角形を重ねることであって、前記第２の三角形の第４の頂点が前記第２の予定通りの運航特性の値に対応する位置で前記多軸グラフの前記第１の軸と交差し、前記第２の三角形の第５の頂点が前記第２の乗り心地特性の値に対応する位置で前記多軸グラフの前記第２の軸と交差し、前記第２の三角形の第６の頂点が前記第２の運航効率特性の値に対応する位置で前記多軸グラフの前記第３の軸と交差するように、前記多軸グラフの軸に合わせて前記第２の三角形の頂点が位置調整される、重ねることと
を更に含む、請求項８に記載のコンピュータによって実行される方法。
【請求項１０】
航空機の飛行計画に対する妥協を表示するためのコンピュータプログラム製品であって、
コンピュータ可読記憶媒体で具現化されるコンピュータ可読プログラムコードを有する、コンピュータ可読記憶媒体を備え、前記コンピュータ可読プログラムコードは一又は複数のコンピュータプロセッサによって、
飛行計画の予定通りの運航特性と乗り心地特性との間の第１の妥協優先傾向と、
前記飛行計画の前記乗り心地特性と運航効率特性との間の第２の妥協優先傾向と、
前記飛行計画の前記運航効率特性と前記予定通りの運航特性との間の第３の妥協優先傾向とを含む、ユーザの妥協優先傾向を受信することと、
多軸グラフの画像をコンピュータディスプレイスクリーンに表示するために出力することであって、前記多軸グラフが、
予定通りの運航に対する第１の軸であって、前記第１の軸に沿った前記予定通りの運航特性の値が前記妥協優先傾向に基づいて重みづけされる、第１の軸と、
乗り心地に対する第２の軸であって、前記第２の軸に沿った前記乗り心地特性の値が前記妥協優先傾向に基づいて重みづけされる、第２の軸と、
運航効率に対する第３の軸であって、前記第３の軸に沿った前記運航効率特性の値が前記妥協優先傾向に基づいて重みづけされる、第３の軸と
を含む、出力することと、
第１の予定通りの運航特性の値と、第１の乗り心地特性の値と、第１の運航効率特性の値とを含む初期の飛行計画を受信することと、
前記多軸グラフ上に第１の三角形を重ねることであって、前記第１の三角形の第１の頂点が前記第１の予定通りの運航特性の値に対応する位置で前記多軸グラフの前記第１の軸と交差し、前記第１の三角形の第２の頂点が前記第１の乗り心地特性の値に対応する位置で前記多軸グラフの前記第２の軸と交差し、前記第１の三角形の第３の頂点が前記第１の運航効率特性の値に対応する位置で前記多軸グラフの前記第３の軸と交差するように、前記多軸グラフの軸に合わせて前記第１の三角形の頂点が位置調整される、重ねることと
を実行可能である、コンピュータプログラム製品。
【発明の詳細な説明】
【技術分野】
【０００１】
本発明は概して、予定、乗り心地、及び効率に対して飛行計画を最適化するための、航空機システム、コンピュータによって実行される方法、及びコンピュータプログラム製品に関する。
【背景技術】
【０００２】
パイロットは通常、出発空港からある空港まで航空機を導くために、飛行計画にしたがって航空機を操縦する。民間航空機の場合、飛行計画はしばしば、民間航空機のオペレータのディスパッチャー又は他のパイロットではない従業員によって作成される。ディスパッチャーは、民間航空機のオペレータの目標を達成する最良の飛行計画を作成する。上記目標には、定刻に到着する、最小限のコストで飛行を実施する、及び最大限に可能な乗客の居心地の良さを実現した飛行を実施することが含まれる。多くの場合、航空機の飛行は、計画した通り正確には実施されない。例えば、天候、及び／又は他の航空交通量が原因で、航空機が計画されたルートから迂回する、計画よりも低速で飛行する、及び／又は計画よりも低高度で飛行することがある。上記のような飛行機の逸脱が起こると、この逸脱から回復するために飛行計画を更に変更するかを決定し、もし変更する場合、どのように飛行計画を変更するかを決定することがパイロットの責任である。例えば、パイロットは嵐を避けて逸脱することを検討するかもしれないが、この逸脱により、飛行の移動総距離が増加し、したがって結果的に到着が遅延する。パイロットは到着の遅延を避けるために速度を上げることを検討するかもしれないが、このような速度の増加により、更に多くの燃料を燃焼し、飛行のコストが高くなる可能性がある。パイロットはまた、飛行計画から逸脱せずに天候の中を飛行することを考えるかもしれないが、天候が原因でガタガタ揺れる、乗客にとって不快な飛行経験が引き起こしされうる。
【発明の概要】
【０００３】
一態様によれば、航空機システムは、コンピュータディスプレイスクリーン、コンピュータプロセッサ、及びコンピュータプロセッサと通信しているコンピュータメモリを備える。コンピュータメモリは、ユーザの妥協優先傾向を記憶するように動作可能である。ユーザの妥協優先傾向には、飛行計画の予定通りの運航特性と乗り心地特性との間の第１の妥協優先傾向が含まれる。ユーザの妥協優先傾向にはまた、飛行計画の乗り心地特性と運航効率特性との間の第２の妥協優先傾向も含まれる。ユーザの妥協優先傾向にはまた、飛行計画の運航効率特性と予定通りの運航特性との間の第３の妥協優先傾向も含まれる。メモリはまた、コンピュータプロセッサ上で実行されたときに多軸グラフの画像をコンピュータディスプレイスクリーンに表示するために出力するアプリケーションも記憶するように動作可能である。多軸グラフは、予定通りの運航に対する第１の軸を含み、第１の軸に沿った予定通りの運航特性の値は、妥協優先傾向に基づいて重みづけされる。多軸グラフはまた、乗り心地に対する第２の軸も含み、第２の軸に沿った乗り心地特性の値は、妥協優先傾向に基づいて重みづけされる。多軸グラフはまた、運航効率に対する第３の軸も含み、第３の軸に沿った運航効率特性の値は、妥協優先傾向に基づいて重みづけされる。アプリケーションはまた、第１の予定通りの運航特性の値、第１の乗り心地特性の値、及び第１の運航効率特性の値を含む初期の飛行計画も受信する。アプリケーションはまた、多軸グラフ上に第１の三角形を重ね、第１の三角形の第１の頂点が第１の予定通りの運航特性の値に対応する位置でグラフの第１の軸と交差し、第１の三角形の第２の頂点が第１の乗り心地特性の値に対応する位置でグラフの第２の軸と交差し、第１の三角形の第３の頂点が第１の運航効率特性の値に対応する位置でグラフの第３の軸と交差するように、グラフの軸に合わせて第１の三角形の頂点が位置調整される。
【０００４】
一態様によれば、コンピュータによって実行される方法は、ユーザの妥協優先傾向を受信することを含む。妥協優先傾向は、飛行計画の予定通りの運航特性と乗り心地特性との間の第１の妥協優先傾向を含む。妥協優先傾向はまた、飛行計画の乗り心地特性と運航効率特性との間の第２の妥協優先傾向も含む。妥協優先傾向はまた、飛行計画の運航効率特性と予定通りの運航特性との間の第３の妥協優先傾向も含む。本方法はまた、多軸グラフの画像をコンピュータディスプレイスクリーン上に表示するために出力することも含む。多軸グラフは、予定通りの運航に対する第１の軸を含み、第１の軸に沿った予定通りの運航特性の値は、妥協優先傾向に基づいて重みづけされる。多軸グラフはまた、乗り心地に対する第２の軸も含み、第２の軸に沿った乗り心地特性の値は、妥協優先傾向に基づいて重みづけされる。多軸グラフはまた、運航効率に対する第３の軸も含み、第３の軸に沿った運航効率特性の値は、妥協優先傾向に基づいて重みづけされる。本方法はまた、第１の予定通りの運航特性の値、第１の乗り心地特性の値、及び第１の運航効率特性の値を含む初期の飛行計画を受信することも含む。本方法はまた、多軸グラフ上に第１の三角形を重ねることも含み、第１の三角形の第１の頂点が第１の予定通りの運航特性の値に対応する位置でグラフの第１の軸と交差し、第１の三角形の第２の頂点が第１の乗り心地特性の値に対応する位置でグラフの第２の軸と交差し、第１の三角形の第３の頂点が第１の運航効率特性の値に対応する位置でグラフの第３の軸と交差するように、グラフの軸に対して第１の三角形の頂点が位置調整される。
【０００５】
一態様によれば、航空機の飛行計画に対する妥協を表示するためのコンピュータプログラム製品が提供される。コンピュータプログラム製品は、コンピュータ可読記憶媒体であって、それにより具現化されるコンピュータ可読プログラムコードを有するコンピュータ可読記憶媒体を備える。コンピュータ可読プログラムコードは、ユーザの妥協優先傾向を受信するよう、一又は複数のコンピュータプロセッサによって実行可能である。妥協優先傾向は、飛行計画の予定通りの運航特性と乗り心地特性との間の第１の妥協優先傾向を含む。妥協優先傾向はまた、飛行計画の乗り心地特性と運航効率特性との間の第２の妥協優先傾向も含む。妥協優先傾向はまた、飛行計画の運航効率特性と予定通りの運航特性との間の第３の妥協優先傾向も含む。コンピュータ可読プログラムコードは、多軸グラフの画像をコンピュータディスプレイスクリーン上に表示するために出力するためにも実行可能である。多軸グラフは、予定通りの運航に対する第１の軸を含み、第１の軸に沿った予定通りの運航特性の値は、妥協優先傾向に基づいて重みづけされる。多軸グラフはまた、乗り心地に対する第２の軸も含み、第２の軸に沿った乗り心地特性の値は、妥協優先傾向に基づいて重みづけされる。
【０００６】
多軸グラフはまた、運航効率に対する第３の軸も含み、第３の軸に沿った運航効率特性の値は、妥協優先傾向に基づいて重みづけされる。コンピュータ可読プログラムコードはまた、第１の予定通りの運航特性の値、第１の乗り心地特性の値、及び第１の運航効率特性の値を含む初期の飛行計画も受信するようにも実行可能である。コンピュータ可読プログラムコードはまた、多軸グラフ上に第１の三角形を重ねるようにも実行可能であり、第１の三角形の第１の頂点が第１の予定通りの運航特性の値に対応する位置でグラフの第１の軸と交差し、第１の三角形の第２の頂点が第１の乗り心地特性の値に対応する位置でグラフの第２の軸と交差し、第１の三角形の第３の頂点が第１の運航効率特性の値に対応する位置でグラフの第３の軸と交差するように、グラフの軸に合わせて第１の三角形の頂点が位置調整される。
【図面の簡単な説明】
【０００７】
【図１】異なる飛行計画を表す異なる三角形が重なった多軸グラフを示す、一態様に係る例示的なグラフィカルユーザインターフェース（ＧＵＩ）である。
【図２】図１に示すＧＵＩを生成するための、一態様に係るシステムのブロック図である。
【図３】図１に示すＧＵＩを生成するための、一態様に係る方法のフロー図である。
【図４】多軸グラフの軸の値が図１とは異なる重みづけがなされ、２つの異なる飛行計画を表す２つの三角形がグラフ上に重なった、図１の多軸グラフを示す別の例示的なＧＵＩである。
【図５】多軸グラフの軸の値が図１とは異なる重みづけがなされ、２つの異なる飛行計画を表す２つの三角形がグラフ上に重なった、図１の多軸グラフを示す別の例示的なＧＵＩである。
【発明を実施するための形態】
【０００８】
下記において、この開示で提示される態様に言及する。しかし、本開示の範囲は、説明されている具体的な態様に限定されない。その代わりに、想定される態様を実装し、実践するために、下記の特徴及び要素の任意の組み合わせが、種々の態様に関連しているか否かに関わらず、想定される。さらに、本書で開示されている態様は他の可能な手法又は従来技術を凌駕する利点を実現しうるが、特定の利点が所与の態様によって実現されるか否かが、本開示の範囲を限定することにはならない。ゆえに、下記の態様、特徴、及び利点は、単なる例示であり、かつ、請求項（複数可）に明記されない限り、付随する特許請求の範囲の要素であるとも、付随する特許請求の範囲を限定するとも、見なされない。同様に、「本発明」への言及は、本書で開示されている発明のあらゆる主題を一般化するものと解釈すべきではなく、かつ、請求項（複数可）に明記されない限り、付随する特許請求の範囲の要素であるとも、付随する特許請求の範囲を限定するとも、見なすべきではない。
【０００９】
上述したように、パイロットは、飛行計画からいつ、そしてどのように逸脱するかを決定するときに、多くの要因を考慮しなければならない場合がある。現在利用可能な飛行計画ツールでは、パイロットが様々な飛行計画のうちのどれが最良の結果をもたらすかを理解するために、飛行中に様々な飛行計画のオプションをすばやく比較することができない。
【００１０】
本明細書に記載される態様では、グラフィカルユーザインターフェース（ＧＵＩ）はパイロットに、一又は複数の飛行計画の様々な特性の幾何学的表現を提供する。本明細書に記載される例示的な態様では、飛行計画は三角形で表され、三角形の頂点は多軸グラフの軸に合わせて位置調整される。少なくとも１つの態様では、異なる飛行計画の異なる三角形を多軸グラフの上に重ねることができ、これにより、パイロットが、異なる計画の長所と欠点をすばやく把握し、すばやく飛行を計画して、飛行を継続することができる。
【００１１】
図１は、原点１０８から外向きに延びている第１の軸１０２、第２の軸１０４、及び第３の軸１０６を含む多軸グラフ１００を示す図である。第１の軸１０２は、飛行計画の予定通りの運航特性に関連し、第１の軸１０２に沿って配置された「予定通り」の値、「遅延」の値、及び「早期」の値を含む。一般的に、到着遅延により、例えば乗客の乗継便が遅延し、パイロットや客室乗務員の勤務時間が延びうるため、航空会社は、航空機が予定通り又は早期に到着することを好む。したがって、第１の軸１０２に沿った値は、最も望ましくない値が原点１０８に最も近いところに配置され、最も望ましい結果が原点１０８から最も遠いところに配置されている。ある場合には、早期到着もまた望ましくないものでありうる。例えば、非常に混雑した特定の空港では、航空機に到着窓が割り当てられており、航空機が早期に到着した場合、着陸するために待機しなくてはならなくなりうる。したがって、上記の状況では、「予定通り」の値が最も好ましい値を表し、第１の軸１０２に沿って「早期」の値よりも原点１０８から遠いところに位置づけされうる。
【００１２】
第２の軸１０４は、飛行計画の運航効率特性に関連する。例示的な多軸グラフ１００では、第２の軸１０４は、「計画」の値（すなわち飛行計画が、最初の飛行計画によって予測された量の燃料を使用すると予測される）、「低燃焼」の値（すなわち、飛行計画が、最初の飛行計画よりも少ない燃料を使用すると予測される）、及び「高燃焼」の値（すなわち、飛行計画が、最初の飛行計画よりもたくさんの燃料を使用すると予測される）を含む。ここでも、最も望ましくない値は、第２の軸１０４の原点１０８に最も近いところに配置され、最も望ましい値は、原点１０８から最も遠いところに配置されている。例示的な多軸グラフ１００では、第２の軸１０４の値は、燃料燃焼の観点において単独で記載されている。しかしながら、他の費用も第２の軸１０４で説明可能である。例えば、飛行計画の変更は到着時間に影響し得、到着時間の変更は、支払われる空港使用料、乗員の賃金、及び他の手数料に影響しうる。別の実施例として、到着時に特定の航空機の保守サイクルを予定している場合があり、到着の遅延により、航空機を待っている地上の整備員が大幅に残業することになりうる。上記費用も、第２の軸１０４に示す値に組み込むことができる。
【００１３】
第３の軸１０６は、飛行計画の乗り心地特性に関連している。例示的な多軸グラフ１００では、第３の軸１０５は、「滑らか」の値、「軽度」の値、「中度」の値、及び「重度」の値を含む。乱気流に関する指示、「滑らか」の値は、乗客がおそらくいかなる重大な乱気流も感じないことを意味し、「重度」の値は、乗客がおそらく、例えば不快な乱気流を経験することを意味する。
【００１４】
ここでも、最も望ましくない値は第３の軸１０６の原点１０８に最も近いところに配置され、最も望ましい値は原点１０８から最も遠いところに配置されている。様々な態様では、第３の軸１０６の値は、他の乗り心地特性、例えば視界又は眺めに相当しうる。例えば、雲の層の上を飛行して地上を遮る飛行計画よりも、乗客に地上の眺めを提供する飛行計画の方が好ましいものでありうる。別の実施例として、地上の景色のよい場所（例：グランドキャニオン）の眺めを乗客に提供する飛行計画の方が、そのような眺めを提供しない飛行計画よりも好ましいものでありうる。
【００１５】
飛行計画は、予定通りの運航特性、運航効率特性、及び乗り心地特性の値を計算することによって、多軸グラフ１００に提示することができる。次に、特性のそれぞれの値に対応する位置において、三角形の頂点が、多軸グラフ１００の３つの軸１０２、１０４、及び１０６と交差するように、三角形が多軸グラフ１００に重ねられる。上述したように、より望ましい値は、３つの軸１０２、１０４、及び１０６に沿った、より望ましくない値よりも原点１０８から遠くに配置されている。したがって、アップデートされたより望ましい飛行計画は概して、結果的にアップデートされたより望ましくない飛行計画よりも大きな三角形になる。
【００１６】
図１は、多軸グラフ１００に重なった、第１の飛行計画の（実線で示す）第１の三角形１１０と、第２の飛行計画の（破線で示す）第２の三角形１２０と、第３の飛行計画の（可変の破線で示す）第３の三角形１３０を有する多軸グラフ１００を示す図である。第１の三角形１１０に対して、第１の頂点１１２は、予定通りの運航特性の「早期」の値において、多軸グラフ１００の第１の軸１０２と交差している。第１の三角形１１０の第２の頂点１１４は、運航効率特性の「高燃焼」の値と、「計画」の値との間で、多軸グラフ１００の第２の軸１０４と交差している。第１の三角形１１０の第３の頂点１１６は、乗り心地特性の「滑らか」の値において、多軸グラフ１００の第３の軸１０６と交差している。
【００１７】
第２の三角形１２０に対して、第１の頂点１２２は、予定通りの運航特性の「予定通り」の値において、多軸グラフ１００の第１の軸１０２と交差している。第２の三角形１２０の第２の頂点１２４は、運航効率特性の「計画」の値と、「低燃焼」の値との間で、多軸グラフ１００の第２の軸１０４と交差している。第２の三角形１２０の第３の頂点１２６は、乗り心地特性の「滑らか」の値において、多軸グラフ１００の第３の軸１０６と交差している。
【００１８】
第３の三角形１３０に対して、第１の頂点１３２は、予定通りの運航特性の「予定通り」の値と「早期」の値との間で、多軸グラフ１００の第１の軸１０２と交差している。第３の三角形１３０の第２の頂点１３４は、運航効率特性の「計画」の値において、第２の軸１０４と交差している。第３の三角形１３０の第３の頂点１３６は、乗り心地特性の「中度」の値において、多軸グラフ１００の第３の軸１０６と交差している。
【００１９】
一態様では、第１の三角形１１０、第２の三角形１２０、及び／又は第３の三角形１３０を一度に１つずつ表示することができる。例えば、第１の三角形１１０を最初に、多軸グラフ１００に重ねることができる。その後に、多軸グラフ１００から第１の三角形１１０を削除することができ、第２の三角形１２０を多軸グラフ１００に重ねることができる。その後に、多軸グラフ１００から第２の三角形１２０を削除することができ、第３の三角形１３０を多軸グラフ１００に重ねることができる。別の態様では、第１の三角形１１０、第２の三角形１２０、及び／又は第３の三角形１３０を同時に多軸グラフ１００に重ねることができる。上記態様では、三角形１１０、１２０、及び１３０は互いに視覚的に区別することができる。例えば、三角形は種々のスタイルの線（例：実線、破線等）を有しうる。別の例としては、三角形は種々の色の線を有しうる。様々な態様では、三角形は単色であってよく、またユーザにとって三角形が認識可能になるように、異なる三角形が種々の透明度を有していてよい。例えば、第１の三角形１１０を下部の三角形として指定し、不透明にする、あるいはほとんど不透明（すなわち、透明でない色）にすることができる。第２の三角形１２０を第１の三角形１１０の上部に置かれたものとして指定し、第２の三角形１２０の下にある第１の三角形１１０の部分が遮られず目に見えるように、６６％不透明（すなわち、部分的に透明）にすることができる。第３の三角形１３０を第２の三角形１２０の上部に置かれたものとして指定し、第３の三角形１３０の下にある第１の三角形１１０の部分及び第２の三角形１２０の部分が遮られず目に見えるように、３３％不透明にすることができる。
【００２０】
様々な態様では、多軸グラフ１００に、図１に示す３つの三角形１１０、１２０、及び１３０よりも多い、または少ない三角形を表示しうる。
【００２１】
図２は、多軸グラフ１００と、多軸グラフ１００上に飛行計画の三角形を表示するためのシステム２００を示すブロック図である。システム２００は、コンピュータプロセッサ２０４と通信しているコンピュータメモリ２０２を含む。コンピュータプロセッサ２０４は、コンピュータディスプレイスクリーン２０６とも通信している。一態様において、コンピュータディスプレイスクリーン２０６は、航空機の操縦室のアビオニクスディスプレイスクリーンであってよい。例えば、多軸表示１００は、多機能ディスプレイ（ＭＦＤ）、プライマリフライトディスプレイ（ＰＦＤ）、及び／又はエンジン／乗員警告システム（ＥＩＣＡＳ）ディスプレイ上に表示されうる。別の態様では、コンピュータディスプレイスクリーン２０６は、操縦室に不可欠の、あるいは、例えばタブレットコンピュータ等のパーソナルエレクトロニックデバイスで利用可能な、エレクトロニックフライトバッグディスプレイであってよい。様々な態様では、コンピュータプロセッサ２０４は、有線又は無線インターフェースを介してコンピュータディスプレイスクリーン２０６と通信しうる。コンピュータプロセッサ２０４は、データ入力部２０８とも通信しうる。コンピュータプロセッサ２０４は、データ入力部を介して飛行計画を受信しうる。受信した飛行計画には、予定通りの運航特性の値、運航効率特性の値、及び乗り心地特性の値が含まれる。
【００２２】
コンピュータメモリ２０２は、ユーザの妥協優先傾向を記憶する。民間航空機においては、ユーザは航空機を運航している航空会社であってよい。コンピュータメモリ２０２は、飛行計画の予定通りの運航特性と乗り心地特性との間の第１の妥協優先傾向２１０を記憶する。コンピュータメモリ２０２はまた、飛行計画の乗り心地特性と運航効率特性との間の第２の妥協優先傾向２１２も記憶する。コンピュータメモリ２０２はまた、飛行計画の運航効率特性と予定通りの運航特性との間の第３の妥協優先傾向も記憶する。コンピュータメモリ２０２は、妥協アプリケーション２１６も記憶する。妥協アプリケーション２１６は、多軸グラフ１００と、それぞれの飛行計画の予定通りの運航特性、運航効率特性、及び乗り心地特性による飛行計画を表す三角形を生成するために、コンピュータプロセッサ２０４上で実行可能である。
【００２３】
図３は、多軸グラフ１００を表示し、多軸グラフ上に飛行計画を表す三角形を重ねる方法３００を示すフロー図である。ブロック３０２では、予定通りの運航特性と乗り心地特性との間の第１の妥協優先傾向２１０を受信する。ブロック３０４では、乗り心地特性と運航効率特性との間の第２の妥協優先傾向２１２を受信する。ブロック３０６では、運航効率特性と予定通りの運航特性との間の第３の妥協優先傾向２１４を受信する。図２を参照しながら上述したように、妥協優先傾向はコンピュータメモリ２０２に記憶され、コンピュータプロセッサ２０４によってアクセスされる。ブロック３０８では、コンピュータディスプレイスクリーン上に表示するための多軸グラフ１００が出力される。本書に記載される態様では、多軸グラフ１００は、予定通りの運航特性の第１の軸１０２と、運航効率特性の第２の軸１０４と、乗り心地特性の第３の軸１０６とを含む。特性の値は、受信した妥協優先傾向に基づく重みづけに基づいて、軸１０２、１０４、及び１０６に沿って位置づけされる。例えば、航空機のオペレータが低価格の運航に重点を置く状況では、第２の軸１０４に沿った「計画」及び「低燃焼」の値は、多軸グラフ１００の原点１０８から遠くに移動し得、「高燃焼」の値は、原点１０８の近くに移動しうる。加えて、妥協優先傾向２１０、２１２、及び２１４に起因して、この状況では運航効率を示すことが予定通りの運航及び乗り心地よりも更に重要であり、第２の軸１０４に沿った「計画」及び「低燃焼」の値は、第１の軸１０２に沿った「予定通り」及び「早期」の値、及び第３の軸１０６に沿った「滑らか」の値よりも、多軸グラフ１００の原点１０８から更に遠くに移動しうる。同様に、第２の軸１０４に沿った「高燃焼」の値は、第１の軸１０２に沿った「遅延」の値、及び第３の軸１０６に沿った「軽度」、「中度」、及び「重度」の値よりも、多軸グラフ１００の原点１０８の近くに移動しうる。
【００２４】
図１（及び以下に記載する図４及び５）では、軸１０２、１０４、及び１０６に沿って図示した値は必ずしも、可能な値を全て表しているわけではない。例えば、図１の第３の三角形１３０の第１の頂点１３２は、「予定通り」の値と「早期」の値との間で、第１の軸１０２と交差する。したがって、第３の三角形１３０によって表される飛行計画によれば、航空機は、最初の飛行計画によって計画したよりも早く到着する。しかしながら、もっと早い到着時間も考えられる及び／又は可能である。別の実施例として、図１の第２の三角形１２０の第２の頂点１２４は、「計画」の値と「低燃焼」の値との間で、第２の軸１０４と交差する。したがって、第２の三角形１２０によって表される飛行計画によれば、最初の飛行計画によって計画したよりも少ない燃料を使用する。しかしながら、もっと多くの燃料の節約も考えられる及び／又は可能である。更に別の実施例として、図１の第３の三角形１２０の第３の頂点１３６は、「軽度」の値と「中度」の値との間で、第３の軸１０６と交差する。したがって、第３の三角形１３０によって表される飛行計画によれば、航空機は、規模において「軽度」と「中度」との間の乱気流に遭遇することが予期される。
【００２５】
少なくとも１つの態様では、理論計算に基づいて、グラフの軸１０２、１０４、及び１０６に沿った値の外側境界が決定されうる。例えば、第１の軸１０２に対し、第１の軸１０２に沿った「早期」の値は、航空機が最大速度で出発地から到着地までまっすぐに飛行することに基づく値でありうる。航空機が早目に到着地に到達することは、まったくできない。別の実施例として、第１の軸１０２に沿った「遅延」の値は、航空機が、燃料搭載量に基づき、可能な最も遅い巡航速度で、航空機の利用可能な範囲を全て使用する到着地への経路を飛行することに基づく値でありうる。
【００２６】
別の実施例として、第２の軸１０４に対し、第２の軸１０４に沿った「低燃焼」の値は、航空機が、最も経済的な巡航速度で出発地から到着地までまっすぐ飛行することに基づく値でありうる。別の実施例として、第２の軸１０４に沿った「高燃焼」の値は、航空機が燃料搭載量の全てを使用することに基づく値でありうる。上述したように、「低燃焼」及び「高燃焼」の値は、乗員の残業費や航空機の１時間当たりのコスト等のほかの要因を含みうる。上記態様では、最も効率的な運航（すなわち、可能な最も高い「低燃焼」の値）は、最も効率的な巡航速度で飛行する飛行計画ではない場合がある。その代り、特定の状況では、最も効率的な運航は例えば、若干速い速度で飛行して早く到着し、乗員の残業費を避ける飛行計画でありうる。
【００２７】
別の実施例として、第３の軸１０６に対し、「滑らか」の値は空気中に乱気流がないことに基づくものでありうる。「軽度」、「中度」、及び「重度」の値は、熱線風速計を使用して測定された乱気流の規模、又はレーダによって測定された渦消散率に基づくものでありうる。あるいは、「軽度」、「中度」、及び「重度」の値は、パイロットの乱気流の報告に基づくものでありうる。
【００２８】
本書に記載される態様では、多軸グラフの３つの軸は、互いに１２０°離れて配置される。他の様々な態様では、多軸グラフは、追加の飛行計画特性が考慮される場合は、３つを上回る軸を有しうる。例えば、多軸グラフは、４つ目の飛行計画特性が考慮された場合、４つの軸を含みうる。上記実施例では、多軸グラフの４つの軸は、互いに９０°離れて配置されうる。別の実施例として、多軸グラフは、５つ目の飛行計画特性が考慮される場合、５つの軸を含みうる。上記実施例では、多軸グラフの５つの軸は、互いに７２°離れて配置されうる。
【００２９】
ブロック３１０では、予定通りの運航特性と、乗り心地特性と、ビークル運航効率特性の第１の値を有する初期の飛行計画を受信する。図２を参照すると、初期の飛行計画は、データ入力２０８を介して受信することができる。ブロック３１２では、第１の値に対応する位置で第１の三角形の頂点が多軸グラフの軸と交差するように、多軸グラフ上で第１の三角形が重ねられる。ブロック３１４では、予定通りの運航特性と、乗り心地特性と、ビークル運航効率特性の第２の値を有する、アップデートされた飛行計画を受信する。ここでも、アップデートされた飛行計画は、データ入力２０８を介して受信することができる。ブロック３１６では、第２の値に対応する位置で第２の三角形の頂点が多軸グラフの軸と交差するように、多軸グラフ上で第２の三角形が重ねられる。
【００３０】
図４及び５は、異なる妥協優先傾向、したがって異なる三角形を生じさせる異なる状況を示す図である。図４は、予定通りの実績と、乗客の快適性に重点を置く「上級」の航空会社の多軸グラフ１００を示す図である。上記航空会社は、乗客に滑らかな乗り心地と予定通りの実績を提供するために、相当な運航非効率を受け入れる用意がありうる。例えば、上記航空会社は、乱気流を避けるために計画したルートから大幅に迂回し、速度の増加により使用される燃料が増えても、このような迂回による余分な移動距離を考慮して巡航速度を高めて遅延を避ける用意がありうる。図４の多軸グラフ１００の軸上の値の重みづけは、この「上級」の航空会社のこのような妥協優先傾向を反映する。第１の軸１０２ａは、多軸グラフ１００の原点１０８から比較的遠くに移動した「予定通り」の値と「早期」の値、及び原点１０８のかなり近くに移動した「遅延」の値を含む。この結果、予定特性の値は、予定通りの、あるいは早期の到着が大きな三角形を生じさせ、到着遅延が小さい三角形を生じさせうるように重みづけされる。
【００３１】
第２の軸１０４ａは、多軸グラフ１００の原点１０８から全て比較的遠くに移動した「高燃焼」の値、「計画」の値、及び「低燃焼」の値を含む。この結果、運航効率特性の値は、燃料の使用が、到着遅延ほど三角形のサイズに影響しないように、重みづけされる。第３の軸１０６ａは、多軸グラフ１００の原点１０８から比較的遠くに移動した「滑らか」の値と、原点１０８からかなり近くに移動した「軽度」、「中度」、及び「重度」の値を含む。この結果、乗り心地特性の値は、滑らかな飛行が大きい三角形を生じさせ、ガタガタ揺れる飛行が大幅に小さい三角形を生じさせるように、重みづけされる。更に、乗り心地特性の値は、燃料の使用が、滑らかな乗り心地ほど三角形のサイズに影響せず、また早期のあるいは予定通りの到着が、滑らかな乗り心地ほど三角形のサイズに影響しないように、重みづけされる。
【００３２】
図４は、多軸グラフ１００に重ねられた第１の三角形４０２（実線で示す）と、第２の三角形４０４（破線で示す）を示す図である。第１の三角形４０２は、滑らかな乗り心地と、予定通りの到着となるが、高燃焼（過剰な燃料使用）につながる第１の飛行計画を表している。第２の三角形４０４は、予定通りの到着と、計画による燃料の使用につながるが、航空機は軽度の乱気流の中を飛行することにもなる第２の飛行計画を表している。例示的な状況では、「上級」の航空会社の航空機の運航中に、パイロットに多軸グラフ１００と、航空機の初期の飛行計画により、航空機が（例えば嵐が発達しているために）予期しない乱気流に遭遇した場合の重ねられた三角形４０２及び４０４が提示される。第１の三角形４０２によって表される第１の飛行計画は、乱気流を迂回し、予定通りの到着を維持するために対気速度を増加しうる。第２の三角形４０４によって表される第２の飛行計画は、初期の飛行計画にしたがって乱気流の中を飛行しうる。特性の値の上述した重みづけに基づき、第１の三角形４０２は第２の三角形４０４よりも大きくなる。パイロットは容易にサイズの差を認識し、したがって、「上級」の航空会社の方策に基づき、第１の三角形４０２に対応する第１の飛行計画がより良いオプションであることを決定することができる。
【００３３】
図５は、安価なチケットに重点を置く「低価格」の航空会社の多軸グラフ１００を示す図である。上記航空会社は、コストを節約し、安い値段のチケットを提供するために、少なくともある程度の乗客の不快感、また不規則なスケジュールを受け入れる用意がありうる。例えば、上記航空会社は、飛行時間を延長し、燃料の使用を増加させるような迂回を避けるために、荒れた天気の中を進んで飛行しうる。上記航空会社はまた、到着遅延を代償に、（例えば、混雑、あるいは厳しい気候を避けるために）迂回した後に最も効率的な巡航速度で飛行を継続することもいとわない可能性がある。
【００３４】
図５の多軸グラフ１００の軸上の値の重みづけは、この「低価格」の航空会社の上記妥協優先傾向を反映する。第１の軸１０２ｂは、多軸グラフ１００の原点１０８から全て比較的遠くに移動している「予定通り」、「早期」、及び「遅延」の値を含む。その結果、予定通りの運航特性の値は、特定の飛行計画の特性の値が三角形のサイズに大きく影響しないように重みづけされる。第２の軸１０４ｂは、多軸グラフ１００の原点１０８から比較的遠くに移動した「高燃焼」の値及び「計画」の値、及び原点１０８のかなり近くに移動した「低燃焼」を含む。その結果、運航効率特性の値は、運航効率特性の「計画」及び「低燃焼」の値が大きい三角形を生じさせ、「高燃焼」の値が小さい三角形を生じさせるように、重みづけされる。加えて、運航効率特性の値は、過剰な燃料使用が、到着遅延よりも三角形のサイズに影響するように、重みづけされる。第３の軸１０６ｂは、多軸グラフ１００の原点１０８から全て比較的遠くに移動した「滑らか」、「軽度」、「中度」、及び「重度」の値を含む。その結果、乗り心地特性の値は、特定の飛行計画の乗り心地特性の値が三角形のサイズに大きく影響しないように、重みづけされる。更に、乗り心地特性の値は、燃料の使用が乱気流よりも更に大きく三角形のサイズに影響し、乱気流と予定通りの実績がほぼ等しく三角形のサイズに影響するように、重みづけされる。
【００３５】
図５は、多軸グラフ１００上に重ねられた第１の三角形５０２（実線で示す）と、第２の三角形５０４（破線で示す）とを示す図である。第１の三角形５０２は、滑らかな乗り心地と、予定通りの到着となるが、最初の飛行計画と比べて高燃焼にもつながる第１の飛行計画を表している。第２の三角形４０４は、若干ガタガタ揺れる乗り心地と、到着遅延となるが、最初の飛行計画による燃料使用にもつながる飛行計画を表している。例示的な状況では、「低価格」の航空会社の航空機の運航中に、パイロットに、図５の多軸グラフ１００と、航空機の初期の飛行計画により、航空機が（例えば嵐が発達しているために）予期しない乱気流に遭遇した場合の重ねられた三角形５０２及び５０４が提示されうる。第１の三角形５０２によって表される第１の飛行計画は、乱気流を迂回し、予定通りの到着を維持するために対気速度を増加しうる。第２の三角形５０４によって表される第２の飛行計画は、予期しない乱気流の最も激しい部分の一部を迂回し、燃料を節約するように、より経済的な速度で巡航するために減速もし、その結果、到着が遅延し、最初の飛行計画にしたがって燃料を使用することになる。上述した特定の値の重みづけに基づき、第２の三角形５０４は第１の三角形５０２よりも大きくなる。パイロットは容易にサイズの差を認識し、したがって、「低価格」の航空会社の方策に基づき、第２の三角形５０４に対応する第２の飛行計画がより良いオプションであることを決定することができる。
【００３６】
上述した態様では、軸１０２、１０４、及び１０６は、大きい三角形が小さい三角形よりも良好な飛行計画を表すように、重みづけされる。本書では、他の視覚的な重みづけスキームも考えられる。例えば、特定の態様では、最適な飛行計画が等辺三角形となるような重みづけ等の、異なる方法で三角形を重みづけすることができる。したがって、多軸グラフ１００のある特定の軸に向かって大幅に傾いた三角形は、多軸グラフ１００上のほぼ等辺の（すなわち、三角形の頂点が多軸グラフの原点１０８からほぼ等間隔にある）三角形よりも好ましくない飛行計画を表しうる。
【００３７】
本書に記載の態様は、専らハードウェアである態様、専らソフトウェアである態様（ファームウェア、常駐ソフトウェア、マイクロコードなどを含む）、又は、ソフトウェア態様とハードウェア態様とを組み合わせた態様の形式をとりうる。本書では、これらは全て「回路」、「モジュール」又は「システム」と一般に称されうる。
【００３８】
態様は、システム、方法、及び／又はコンピュータプログラム製品でありうる。コンピュータプログラム製品は、本書に記載の態様をプロセッサに実行させるためのコンピュータ可読プログラム命令を有する、コンピュータ可読記憶媒体（複数可）を含みうる。
【００３９】
コンピュータ可読記憶媒体は、命令実行デバイスが使用する命令を保持し、記憶することが可能な、有形デバイスでありうる。コンピュータ可読記憶媒体は、限定するわけではないが例としては、電子記憶デバイス、磁気記憶デバイス、光記憶デバイス、電磁記憶デバイス、半導体記憶デバイス、又はこれらの任意の好適な組み合わせでありうる。コンピュータ可読記憶媒体のより具体的な例の非網羅的リストは、ポータブルコンピュータディスケット、ハードディスク、ランダムアクセスメモリ（ＲＡＭ）、読出し専用メモリ（ＲＯＭ）、消去可能プログラマブル読出し専用メモリ（ＥＰＲＯＭ又はフラッシュメモリ）、スタティックランダムアクセスメモリ（ＳＲＡＭ）、ポータブルコンパクトディスク読出し専用メモリ（ＣＤ−ＲＯＭ）、デジタル多用途ディスク（ＤＶＤ）、メモリスティック、フロッピーディスク、パンチカード又は命令が記録されている溝内隆起構造などの機械的にエンコードされたデバイス、及び、これらの任意の好適な組み合わせを含む。コンピュータ可読記憶媒体とは、本書では、それ自体が、電波又はその他の自由に伝播する電磁波、導波管又は他の伝送媒体を通って伝播する電磁波（光ファイバケーブルを通過する光パルスなど）、或いは、ワイヤを通って伝送される電気信号といった、一時的信号であると解釈すべきではない。
【００４０】
本書に記載のコンピュータ可読プログラム命令は、コンピュータ可読記憶媒体からそれぞれのコンピューティング／処理デバイスに、或いは、例えばインターネット、ローカルエリアネットワーク、ワイドエリアネットワーク、及び／又は無線ネットワークなどのネットワークを介して、外部コンピュータ又は外部記憶デバイスに、ダウンロードされうる。ネットワークは、銅製伝送ケーブル、光伝導ファイバ、無線伝送、ルータ、ファイアウォール、スイッチ、ゲートウェイコンピュータ、及び／又はエッジサーバを含みうる。各コンピューティング／処理デバイス内のネットワークアダプタカード又はネットワークインターフェースは、ネットワークからコンピュータ可読プログラム命令を受信し、このコンピュータ可読プログラム命令を、それぞれのコンピューティング／処理デバイスの中のコンピュータ可読記憶媒体内に記憶するために転送する。
【００４１】
本書に記載の操作を実行するためのコンピュータ可読プログラム命令は、アセンブラ命令、命令セットアーキテクチャ（ＩＳＡ）命令、機械命令、機械依存命令、マイクロコード、ファームウェア命令、状態設定データ、或いは、スモールトークやＣ＋＋などといったオブジェクト指向型プログラミング言語、及び、「Ｃ」プログラミング言語又は類似のプログラミング言語などの従来的な手続き型プログラミング言語を含む、一又は複数のプログラミング言語の任意の組み合わせで書かれた、ソースコード若しくはオブジェクトコードでありうる。コンピュータ可読プログラム命令は、専らユーザのコンピュータ上で、スタンドアローン型ソフトウェアパッケージとして部分的にユーザのコンピュータ上で、部分的にユーザのコンピュータ上かつ部分的にリモートコンピュータ上で、或いは、専らリモートコンピュータ又はサーバ上で、実行されうる。後者の場合、リモートコンピュータがローカルエリアネットワーク（ＬＡＮ）又はワイドエリアネットワーク（ＷＡＮ）を含む任意の種類のネットワークを通じてユーザのコンピュータに接続されうるか、或いは、（例えば、インターネットサービスプロバイダを使用してインターネットを通じて）外部コンピュータへの接続がなされうる。一部の態様では例えば、プログラマブル論理回路、フィールドプログラマブルゲートアレイ（ＦＰＧＡ）、又はプログラマブル論理アレイ（ＰＬＡ）などを含む電子回路は、本書に記載の態様を実施する目的で、この電子回路をカスタマイズするために、コンピュータ可読プログラム命令の状態情報を利用することによって、コンピュータ可読プログラム命令を実行しうる。
【００４２】
態様は、本書において、本書に記載の態様による方法、装置（システム）、及びコンピュータプログラム製品のフロー図及び／又はブロック図を参照して説明されている。フロー図及び／又はブロック図の各ブロック、並びに、フロー図及び／又はブロック図における複数のブロックの組み合わせは、コンピュータ可読プログラム命令によって実行可能であると、理解されよう。
【００４３】
上記のコンピュータ可読プログラム命令は、機械を生産するために、汎用コンピュータ又は特殊用途コンピュータのプロセッサ、或いは他のプログラマブルデータ処理装置に提供されてよく、これにより、コンピュータのプロセッサ又は他のプログラマブルデータ処理装置を介して実行されるこれらの命令が、フロー図及び／又はブロック図のブロック（複数可）内に特定されている機能／作用を実行するための手段を創出する。上記のコンピュータ可読プログラム命令は更に、特定の様態で機能するために、コンピュータ、プログラマブルデータ処理装置、及び／又はその他のデバイスに命令を下すことが可能なコンピュータ可読記憶媒体に記憶されてよく、これにより、命令が記憶されているコンピュータ可読記憶媒体は、フロー図及び／又はブロック図のブロック（複数可）内に特定されている機能／作用の態様を実行する命令を含む製品を含む。
【００４４】
コンピュータ可読プログラム命令は更に、一連の工程ステップをコンピュータ、他のプログラマブル装置、又はコンピュータによって実行されるプロセスを生成する他のデバイスで実行させるために、コンピュータ、他のプログラマブルデータ処理装置、又は他の装置にローディングされてよく、これにより、コンピュータ、他のプログラマブル装置、又は他の装置で実行される命令が、フロー図及び／又はブロック図のブロック（複数可）で特定されている機能／作用を実行する。
【００４５】
図面のフロー図及びブロック図は、本書に記載の様々な態様によるシステム、方法及びコンピュータプログラム製品の可能な実行形態のアーキテクチャ、機能性、及び工程を示している。そのため、フロー図及びブロック図における各ブロックは、特定の論理機能（複数可）を実行するための一又は複数の実行可能命令を含む、命令のモジュール、セグメント、又は部分を表わしうる。一部の代替的な実行形態では、ブロック内に記載された機能は、図に記載されている順序を逸脱して発現しうる。例えば、連続して示されている２つのブロックは、実際には、関連機能に応じて、実質的に同時に実行されうるか、又は、時には逆順に実行されうる。ブロック図及び／又はフロー図の各ブロック、並びに、ブロック図及び／又はフロー図におけるブロックの組み合わせは、特定の機能又は作用を実施する特殊用途のハードウェアベースのシステムによって実行されうるか、或いは、特殊用途ハードウェアとコンピュータ命令との組み合わせによって実行されうることにも、留意されたい。
【００４６】
様々な態様の説明は、例示を目的として提示されており、網羅的であること、又は開示されている態様に限定することを意図するものではない。当業者には、記載されている態様の範囲及び本質から逸脱することなく、多数の修正例及び変形例が明白になろう。本書で使用されている用語は、態様の原理、市場に見られる技術を凌駕する実用的応用又は技術的改善を最もよく解説するため、或いは、本書で開示されている態様を他の当業者にも理解可能にするために、選ばれたものである。
【００４７】
更に、本開示は下記の条項による実施形態を含む。
【００４８】
条項１．航空機システムであって、
コンピュータディスプレイスクリーンと、
コンピュータプロセッサと、
コンピュータプロセッサと通信し、ユーザの妥協優先傾向を記憶するように動作可能なコンピュータメモリであって、ユーザの妥協優先傾向が、
飛行計画の予定通りの運航特性と乗り心地特性との間の第１の妥協優先傾向と、
飛行計画の前記乗り心地特性と運航効率特性との間の第２の妥協優先傾向と、
飛行計画の前記運航効率特性と前記予定通りの運航特性との間の第３の妥協優先傾向と
を含む、コンピュータメモリと、
アプリケーションであって、コンピュータプロセッサ上で実行されたときに、
コンピュータディスプレイスクリーン上に表示するために、
第１の軸に沿った予定通りの運航特性の値が妥協優先傾向に基づいて重みづけされる、予定通りの運航に対する第１の軸と、
第２の軸に沿った乗り心地特性の値が妥協優先傾向に基づいて重みづけされる、乗り心地に対する第２の軸と、
第３の軸に沿った運航効率特性の値が妥協優先傾向に基づいて重みづけされる、運航効率に対する第３の軸と
を含む多軸グラフの画像を出力し、
第１の予定通りの運航特性の値と、第１の乗り心地特性の値と、第１の運航効率特性の値とを含む初期の飛行計画を受信し、
多軸グラフ上に第１の三角形を重ねる
アプリケーションとを備え、第１の三角形の第１の頂点が第１の予定通りの運航特性の値に対応する位置で多軸グラフの第１の軸と交差し、第１の三角形の第２の頂点が第１の乗り心地特性の値に対応する位置で多軸グラフの第２の軸と交差し、第１の三角形の第３の頂点が第１の運航効率特性の値に対応する位置で多軸グラフの第３の軸と交差するように、多軸グラフの軸に合わせて第１の三角形の頂点が位置調整される、航空機システム。
【００４９】
条項２．コンピュータプロセッサによって実行されたときに、アプリケーションは更に、
第２の予定通りの運航特性の値、第２の乗り心地特性の値、及び第２の運航効率特性の値を含む第１のアップデートされた飛行計画を受信し、
多軸グラフ上に第２の三角形を重ね、第２の三角形の第４の頂点が第２の予定通りの運航特性の値に対応する位置で多軸グラフの第１の軸と交差し、第２の三角形の第５の頂点が第２の乗り心地特性の値に対応する位置で多軸グラフの第２の軸と交差し、第２の三角形の第６の頂点が第２の運航効率特性の値に対応する位置で多軸グラフの第３の軸と交差するように、多軸グラフの軸に合わせて第２の三角形の頂点が位置調整される、条項１に記載の航空機システム。
【００５０】
条項３．第１の三角形が第２の三角形に置き換えられる、条項２に記載の航空機システム。
【００５１】
条項４．第２の三角形が第１の三角形の上部に重ねられる、条項２又は３に記載の航空機システム。
【００５２】
条項５．第２の三角形は、第１の三角形が第２の三角形によって遮られないように、部分的に透明な状態で表示される、条項４に記載の航空機システム。
【００５３】
条項６．アプリケーションは、コンピュータプロセッサによって実行されたときに、更に、
第３の予定通りの運航特性の値、第３の乗り心地特性の値、及び第３の運航効率特性の値を含む第２のアップデートされた飛行計画を受信し、
多軸グラフ上に第３の三角形を重ね、第３の三角形の第７の頂点が第３の予定通りの運航特性の値に対応する位置で多軸グラフの第１の軸と交差し、第３の三角形の第８の頂点が第３の乗り心地特性の値に対応する位置で多軸グラフの第２の軸と交差し、第３の三角形の第９の頂点が第３の運航効率特性の値に対応する位置で多軸グラフの第３の軸と交差するように、多軸グラフの軸に合わせて第３の三角形の頂点が位置調整される、
条項２から５のいずれか一項に記載の航空機システム。
【００５４】
条項７．第３の三角形が第１の三角形及び第２の三角形の上部に重ねられる、条項６に記載の航空機システム。
【００５５】
条項８．コンピュータによって実行される方法であって、
飛行計画の予定通りの運航特性と乗り心地特性との間の第１の妥協優先傾向と、
飛行計画の乗り心地特性と運航効率特性との間の第２の妥協優先傾向と、
飛行計画の運航効率特性と予定通りの運航特性との間の第３の妥協優先傾向と
を含む、ユーザの妥協優先傾向を受信することと、
多軸グラフの画像をコンピュータディスプレイスクリーンに表示するために出力することであって、多軸グラフが、
予定通りの運航に対する第１の軸であって、第１の軸に沿った予定通りの運航特性の値が妥協優先傾向に基づいて重みづけされる、第１の軸と、
乗り心地に対する第２の軸であって、第２の軸に沿った乗り心地特性の値が妥協優先傾向に基づいて重みづけされる、第２の軸と、
運航効率に対する第３の軸であって、第３の軸に沿った運航効率特性の値が妥協優先傾向に基づいて重みづけされる、第３の軸と
を含む、出力することと、
第１の予定通りの運航特性の値と、第１の乗り心地特性の値と、第１の運航効率特性の値とを含む初期の飛行計画を受信することと、
多軸グラフ上に第１の三角形を重ねることであって、第１の三角形の第１の頂点が第１の予定通りの運航特性の値に対応する位置で多軸グラフの第１の軸と交差し、第１の三角形の第２の頂点が第１の乗り心地特性の値に対応する位置で多軸グラフの第２の軸と交差し、第１の三角形の第３の頂点が第１の運航効率特性の値に対応する位置で多軸グラフの第３の軸と交差するように、多軸グラフの軸に合わせて第１の三角形の頂点が位置調整される、重ねることと
を含む方法。
【００５６】
条項９．第２の予定通りの運航特性の値と、第２の乗り心地特性の値と、第２の運航効率特性の値とを含む第１のアップデートされた飛行計画を受信することと、
多軸グラフ上に第２の三角形を重ねることであって、第２の三角形の第４の頂点が第２の予定通りの運航特性の値に対応する位置で多軸グラフの第１の軸と交差し、第２の三角形の第５の頂点が第２の乗り心地特性の値に対応する位置で多軸グラフの第２の軸と交差し、第２の三角形の第６の頂点が第２の運航効率特性の値に対応する位置で多軸グラフの第３の軸と交差するように、多軸グラフの軸に合わせて第２の三角形の頂点が位置調整される、重ねることと
を更に含む、条項８に記載のコンピュータによって実行される方法。
【００５７】
条項１０．第１の三角形が第２の三角形に置き換えられる、条項９に記載のコンピュータによって実行される方法。
【００５８】
条項１１．第２の三角形が第１の三角形の上部に重ねられる、条項９又は１０に記載のコンピュータによって実行される方法。
【００５９】
条項１２．第２の三角形は、第１の三角形が第２の三角形によって遮られないように、部分的に透明な状態で表示される、条項１１に記載のコンピュータによって実行される方法。
【００６０】
条項１３．第３の予定通りの運航特性の値と、第３の乗り心地特性の値と、第３の運航効率特性の値とを含む第２のアップデートされた飛行計画を受信することと、
多軸グラフ上に第３の三角形を重ねることであって、第３の三角形の第７の頂点が第３の予定通りの運航特性の値に対応する位置で多軸グラフの第１の軸と交差し、第３の三角形の第８の頂点が第３の乗り心地特性の値に対応する位置で多軸グラフの第２の軸と交差し、第３の三角形の第９の頂点が第３の運航効率特性の値に対応する位置で多軸グラフの第３の軸と交差するように、多軸グラフの軸に合わせて第３の三角形の頂点が位置調整される、重ねることと
を更に含む、条項９から１２のいずれか一項に記載のコンピュータによって実行される方法。
【００６１】
条項１４．第３の三角形が第１の三角形及び第２の三角形の上部に重ねられる、条項１３に記載のコンピュータによって実行される方法。
【００６２】
条項１５．航空機の飛行計画に対する妥協を表示するためのコンピュータプログラム製品であって、
コンピュータ可読記憶媒体で具現化されるコンピュータ可読プログラムコードを有する、コンピュータ可読記憶媒体を備え、コンピュータ可読プログラムコードは一又は複数のコンピュータプロセッサによって、
飛行計画の予定通りの運航特性と乗り心地特性との間の第１の妥協優先傾向と、
飛行計画の乗り心地特性と運航効率特性との間の第２の妥協優先傾向と、
飛行計画の運航効率特性と予定通りの運航特性との間の第３の妥協優先傾向とを含む、ユーザの妥協優先傾向を受信することと、
多軸グラフの画像をコンピュータディスプレイスクリーンに表示するために出力することであって、多軸グラフが、
予定通りの運航に対する第１の軸であって、第１の軸に沿った予定通りの運航特性の値が妥協優先傾向に基づいて重みづけされる、第１の軸と、
乗り心地に対する第２の軸であって、第２の軸に沿った乗り心地特性の値が妥協優先傾向に基づいて重みづけされる、第２の軸と、
運航効率に対する第３の軸であって、第３の軸に沿った運航効率特性の値が妥協優先傾向に基づいて重みづけされる、第３の軸と
を含む、出力することと、
第１の予定通りの運航特性の値と、第１の乗り心地特性の値と、第１の運航効率特性の値とを含む初期の飛行計画を受信することと、
多軸グラフ上に第１の三角形を重ねることであって、第１の三角形の第１の頂点が第１の予定通りの運航特性の値に対応する位置で多軸グラフの第１の軸と交差し、第１の三角形の第２の頂点が第１の乗り心地特性の値に対応する位置で多軸グラフの第２の軸と交差し、第１の三角形の第３の頂点が第１の運航効率特性の値に対応する位置で多軸グラフの第３の軸と交差するように、多軸グラフの軸に合わせて第１の三角形の頂点が位置調整される、重ねることと
を実行可能である、コンピュータプログラム製品。
【００６３】
条項１６．コンピュータ可読プログラムコードが更に、
第２の予定通りの運航特性の値と、第２の乗り心地特性の値と、第２の運航効率特性の値とを含む第１のアップデートされた飛行計画を受信することと、
多軸グラフ上に第２の三角形を重ねることであって、第２の三角形の第４の頂点が第２の予定通りの運航特性の値に対応する位置で多軸グラフの第１の軸と交差し、第２の三角形の第５の頂点が第２の乗り心地特性の値に対応する位置で多軸グラフの第２の軸と交差し、第２の三角形の第６の頂点が第２の運航効率特性の値に対応する位置で多軸グラフの第３の軸と交差するように、多軸グラフの軸に合わせて第２の三角形の頂点が位置調整される、重ねることと
を実行可能である、条項１５に記載のコンピュータプログラム製品。
【００６４】
条項１７．第１の三角形が第２の三角形に置き換えられる、条項１６に記載のコンピュータプログラム製品。
【００６５】
条項１８．第２の三角形が第１の三角形の上部に重ねられる、条項１６又は１７に記載のコンピュータプログラム製品。
【００６６】
条項１９．第２の三角形は、第１の三角形が第２の三角形によって遮られないように、部分的に透明な状態で表示される、条項１８に記載のコンピュータプログラム製品。
【００６７】
条項２０．コンピュータ可読プログラムコードが更に、
第３の予定通りの運航特性の値と、第３の乗り心地特性の値と、第３の運航効率特性の値とを含む第２のアップデートされた飛行計画を受信することと、
多軸グラフ上に第３の三角形を重ねることであって、第３の三角形の第７の頂点が第３の予定通りの運航特性の値に対応する位置で多軸グラフの第１の軸と交差し、第３の三角形の第８の頂点が第３の乗り心地特性の値に対応する位置で多軸グラフの第２の軸と交差し、第３の三角形の第９の頂点が第３の運航効率特性の値に対応する位置で多軸グラフの第３の軸と交差するように、多軸グラフの軸に合わせて第３の三角形の頂点が位置調整される、重ねることと
を実行可能である、条項１６から１９のいずれか一項に記載のコンピュータプログラム製品。
【００６８】
ここまでの記述は本書に記載の態様を対象としているが、その基本的な範囲から逸脱しなければ他の態様及び更なる態様が考案されてよく、その範囲は、以下の特許請求の範囲によって決定される。
【図１】
2018083609.tif 000003
【図２】
2018083609.tif 000004
【図３】
2018083609.tif 000005
【図４】
2018083609.tif 000006
【図５】
2018083609.tif 000007
【外国語明細書】
2018083609000001.pdf
2018083609000002.pdf
2018083609000003.pdf
2018083609000004.pdf